(57)【特許請求の範囲】
【請求項１】
前軸と後軸とから軸筒を構成し、その軸筒の内部に筆記体を有する筆記具の軸筒であって、前記前軸に前記筆記体を固定し、前記後軸の表面に指間当接柄を設けると共に、前記前軸と後軸を相対的に回転可能とし、また、前記筆記体と指間当接柄を相対的に回転可能としたことを特徴とする筆記具の軸筒。
【請求項２】
前記筆記体と指間当接柄の相対的な回転に回転抵抗を付与したことを特徴とする請求項１記載の筆記具の軸筒。
【請求項３】
前記回転抵抗を筆記圧に応じて変化させたことを特徴とする請求項１、或いは、請求項２に記載の筆記具の軸筒。
【請求項４】
前記指間当接柄を軸筒の長手方向の中間部に形成したことを特徴とする請求項１〜請求項３の何れかに記載の筆記具の軸筒。
【請求項５】
前記軸筒の内部に芯の繰り出し機構を配置したことを特徴とする請求項１〜請求項４の何れかに記載の筆記具の軸筒。
【発明の詳細な説明】
【技術分野】
【０００１】
本発明は、筆記具の軸筒に関し、例えば、クリップや保持するための補助具などの突起部が設けられた軸筒の形状に関する。
【背景技術】
【０００２】
従来の筆記具において、把持部に関わる指の疲労の低減や、滑り止め性を考慮した製品、並びに、発明は数多く知られている。例えば、特開平１０−２４４７９６号公報である。その公報の特許請求の範囲の請求項には、「筆記具（１）の中途部に着脱自在としたリング（３）と、同リング（３）に連結し、把持する掌の内側が係合する掌係合片（４）とから構成し、さらに、同リング（３）と掌係合片（４）とを、弾性力素材で形成したことを特徴とする筆記補助具。」と記載されている。即ち、指以外にも支持部を設けることによって、手、腕、および肩に対する疲労を軽減しようとするものである。
【特許文献１】特開平１０−２４４７９６号公報
【発明の開示】
【発明が解決しようとする課題】
【０００３】
しかし、上記の従来技術にあっては、例えば、筆記具がボールペンの場合には、ボールを保持する小口や、筆記圧によってボールが当接する受け座の特定の箇所が極端に磨耗してしまい、筆記が不可能になってしまうことがあった。つまり、補助具が取り付けられているため、筆記具の周方向における手によって把持する角度が、常に一定の箇所となってしまい、その結果、常に同じ位置で筆記が行われてしまうのである。
また、前記筆記具がシャープペンシルにあっても同様であり、常に一定の箇所で把持され筆記が行われるため、次第に芯が片減りし、太い筆記線となってしまうのである。
ここで、補助具が取り付けられた筆記具自体を回転させることも考えられるが、補助具としての効果が発揮されなくなってしまうばかりでなく、反って邪魔なものとなってしまい違和感のある筆記作業となってしまう。
【課題を解決するための手段】
【０００４】
本発明は、前軸と後軸とから軸筒を構成し、その軸筒の内部に筆記体を有する筆記具の軸筒であって、前記前軸に前記筆記体を固定し、前記後軸の表面に指間当接柄を設けると共に、前記前軸と後軸を相対的に回転可能とし、また、前記筆記体と指間当接柄を相対的に回転可能としたことを要旨とする。
【発明の効果】
【０００５】
本発明は、前軸と後軸とから軸筒を構成し、その軸筒の内部に筆記体を有する筆記具の軸筒であって、前記前軸に前記筆記体を固定し、前記後軸の表面に指間当接柄を設けると共に、前記前軸と後軸を相対的に回転可能とし、また、前記筆記体と指間当接柄を相対的に回転可能としたので、長期に渡って良好な筆記が得られる筆記具を提供することができる。
【発明を実施するための最良の形態】
【０００６】
図１乃至図１０に第１例を示し説明する。図中上方を後方と言い、下方を前方と言う。後軸２９と前軸３０からなる軸筒１の内部には、シャープペンシルの芯繰り出し機構や、ボールペンのリフィルなどの筆記体が収納・配置されている。本例における軸筒１の内部には、芯繰り出し機構２が内蔵されている。その芯繰り出し機構２は、芯タンク３の前方に継ぎ手４を介して固定され、芯の把持・開放を行うチャック体５と、そのチャック体５の開閉を行うチャックリング６、並びに、それら芯タンク３やチャック体５などを後方に付勢するコイルスプリングなどのチャックスプリング７などから構成されている。前記芯タンク３の後方には、消しゴム受け８を介して消しゴム９とその消しゴム９を覆うようにノックキャップ１０が着脱自在に取り付けられている。符号１１は、前記消しゴム受け８と消しゴム９との間に介在した座金であって、実質的には消しゴム９を圧入している。また、符号１２はノックブッシュであって、前記ノックキャップ１０内に固定されている。
尚、前記芯繰り出し機構２の前方には、中ねじ１３が取り付けられており、その中ねじ１３によって芯繰り出し機構２が前軸３０に固定されている。具体的に説明すると、その前軸３０は中軸３０ａと先部３０ｂとから構成されており、それら中軸３０ａと先部３０ｂは螺合によって固定されている。そして、前記芯繰り出し機構２の中ねじ１３に形成されている鍔部１３ａが中軸３０ａと先部３０ｂに挟み込まれることによって、芯繰り出し機構２が前軸３０に対して固定されている。また、その中ねじ１３の前方には、先部材１４が螺着されており、その先部材１４には芯の後退を阻止する芯戻り止め部材１５を内設したスライド部材１６が配置されているが、前記芯戻り止め部材１５は先部材１４とスライド部材１６との摺動に対して摩擦抵抗を付与している。符号１７は、金属製の芯案内部材であって、前記スライド部材１６に内設されている。
【０００７】
軸筒１の後軸２９の長手方向の中間部には、その後軸２９に対して回転は不能であるが、前後動は可能な筒体１８が取り付けられており、その筒体１８には指間当接柄１９が設けられている。その指間当接柄１９、且つ、筒体１８より前方には、把持部２０が設けられている。また、指間当接柄１９は筒体１８を跨ぐように取り付けられており、且つ、軸筒１の軸線の垂直方向に対して回転自在に取り付けられている。具体的に説明すると、指間当接柄１９は二股状の脚部１９ａとその脚部１９ａを連結する支持部１９ｂとから構成されており、前記脚部１９ａが筒体１８の側部に回転自在に取り付けられている。
ここで、その指間当接柄１９の作用について説明する。図２の状態において、前記把持部２０を親指と人差し指、中指の３点で包囲するように握ると、指間当接柄１９は、親指と人差し指の間に位置し、その結果、指間当接柄１９の全体を手掌で支えることになる。この支持力が筆記荷重の補助となり、把持部２０の指への負担を軽減させることになる。
尚、前記指間当接柄１９や把持部２０は、筒体１８や軸筒１と別部材で構成されているが、一体成形しても良い。また、それら指間当接柄１９や把持部材２０は、滑り止め効果を得る為に熱可塑性エラストマーやシリコン、ニトリルブタジエンラバーなどの弾性部材から形成されているが、硬質な材質、例えば、ポリカーボネート、アクリロニトリル・ブタジエン・スチレン樹脂、ポリアセタール、ポリアミド、ポリプロピレン、ポリエチレンテレフタレートなどで形成した指間当接柄１９や把持部材２０の表面に弾性部材を被覆するか、或いは、部分的に弾性部材を配置しても良いし、滑り止め効果が得られる塗料などを塗布し、硬化させても良い。特に、指間当接柄１９にあっては、比較的大きな力が掛かることも懸念されることから、金属などの硬質な材質で形成し、その表面に滑り止め作用を有する弾性部材を付着させたり、インサート成形の要領によって成形したり、或いは、指間当接柄１９の表面に微細な凹凸状のローレット加工などを施すのも良い。
【０００８】
次に、指間当接柄１９が、筒体１８（軸筒１）に対して収納可能な例を図１に示し説明する。その指間当接柄１９は筒体１８を跨ぐように取り付けられており、且つ、軸筒１の軸線の垂直方向に対して回転自在に取り付けられている。
その指間当接柄１９は、使用時、図２のように筒体１８（軸筒１）から拡開されているが、回転支柱部２１に対して回動することにより筒体１８に収納することが可能である。つまり、指間当接柄１９を軸筒１の軸線の垂直方向に対して回転させることによって、その指間当接柄１９を軸筒１から拡開させたり、閉鎖（収納）させたりすることが可能なのである。本例では指間当接柄１９の脚部１９ａの先端部分にＶ字状の板ばね２２を設けてあり、その板ばね２２を筒体１８に形成した連続する山形状の係合部２３に係合させている。これら、板ばね２２を係合部２３に段階的に係合させることによって、指間当接柄１９を収納状態に保持することができるようになっている。
【０００９】
次に、前記指間当接柄１９（筒体１８）の軸筒１の長手方向に対する移動手段について説明する。軸筒１の１側面には、凹部２４が形成されており、その凹部２４には筒体１８の膨出部２５の内面に形成された凸部２６が係合している。前記膨出部２５には、切り欠き部２７が形成されており、僅かながらに軸筒１の径方向に対して上下動が可能なものとなっている。即ち、膨出部２５の前方部を押圧すると、前記凸部２６と凹部２４との係合が解除され、筒体１８の軸筒１に対する上下動が可能となるのである。尚、凸部２６の復帰は、膨出部２５内に配置された板ばね２８によってなされる。
【００１０】
次に、前記軸筒１について詳述する。軸筒１は、前述のように前記指間当接柄１９を有する筒体１８を外装した後軸２９と把持部２０を被嵌する前軸３０（中軸３０ａ）とから構成されているが、それら後軸２９と前軸３０は軸線の周方向に対して回転自在に連結されている。即ち、指間当接柄１９を有する後軸２９が前軸３０に対して、相対的に回転が可能なものとなっている。尚、後軸２９の表面には、平面部２９ａが形成されており、その平面部２９ａに筒体１８の内面に形成されている平面部が接触している。これによって、筒体１８の後軸２９に対する相対的な回転が防止されている。前記後軸２９の内面には、係合凹部２９ｂが形成されており、一方、前軸３０（中軸３０ａ）の後端には、前記係合凹部２９ｂと係合する係合鍔部３０ｃが形成されている。これら、係合凹部２９ｂと係合鍔部３０ｃの係合は、その係合力を若干強めることによって、後軸２９と前軸３０の相対的な回転に対する回転摩擦抵抗が付与されるようになっている。つまり、ある程度の負荷をかけないと後軸２９と前軸３０が相対的に回転しないようになっているのである。
また、本例においては、後軸２９と前軸３０との間にコイルスプリングなどの弾発部材３１を配置させ、互いを長手方向に対して付勢している。つまり、弾発部材３１によって互いを離隔する方向に付勢せしめ、この付勢力によっても後軸２９と前軸３０との回転に対して回転摩擦抵抗を付与しているのである。尚、その弾発部材３１の弾発力を変えることによって、容易に前記後軸２９と前軸３０との回転摩擦抵抗を変更・設定することができる。また、本例においては、見栄えを良くするために前記弾発部材３１を後軸２９の内部に位置させている。具体的には、後軸２９の前方内面には大径空間部３２が形成されており、その大径空間部３２内に弾発部材３１が配置されている。そして、その弾発部材３１は、大径空間部３２を形成することによって形成された内面段部３２ａと中軸３０ａの中間鍔部３３との間に張設されている。しかし、興趣性を考慮し、後軸２９の前端部と前軸３０の中間鍔部３３との間に露出させた状態で弾発部材３１を張設しても良い。
【００１１】
前記弾発部材３１の両端部近傍には、平面部３１ａが形成されている。両端部近傍に平坦部３１ａを形成することによって、弾発部材３１の端部の角部と後軸２９（前軸３０）との接触部における引っ掛かりを極力防止しているのである。ちなみに、引っ掛かり現象が発生してしまうと、その擦れによって粉が発生してしまったり、ややもすると、弾発部材（コイルスプリング）３１が拡径してしまい、相対的な回転が得られなくなってしまう危険性がある。
さらに、本例においては、前記弾発部材３１の前後に、金属製のワッシャ３４を設けている。弾発部材３１と各軸との間にワッシャ３４を介在させることによって、前記の引っかかり現象をさらに防止できるものとなっている。また、そのワッシャ３４の外面には、僅かながらではあるが筒部３４ａが形成されている。弾発部材３１の端部と大径空間部３２の内面との引っかかり現象をも防止できるものとなっているが、ワッシャ３４の内面にも筒部を形成することによって、前軸３０の外面における引っかかり現象をも防止できるようになる。
尚、前記コイルスプリングの弾発部材３１に変え、皿ばね３５を使用しても良い。その皿ばね３５には、折り曲げ部３５ａが等間隔な位置に形成されている。この皿ばね３５は、端部が無いため前記のような引っかかり現象が発生せず、よって、ワッシャや組み立て工数を削減することができることになる。
符号３６は、後軸２９に別部材で構成し取り付けたクリップであるが、一体成形されても良い。また、そのクリップ３６は、前記指間当接柄１９とは反対側の位置に設けられている。筆記の際に、邪魔にならない部分に設けられているのである。
作用について説明する。後軸２９（筒体１８）を前軸３０に対して相対的に回転させたい場合には、左手で前軸３０を持ち、右手で後軸２９を持ち相対的に回転させても良いが、筆記状態を保ちながら回転させることもできる。つまり、指間当接柄１９が親指と人差し指の股によって挟まれているため、後軸２９の回転は阻止されている。ここで、把持部２０を把持している親指や人差し指、並びに、中指によって把持部材２０に回転作用を付与すれば、前軸３０が回転することになる。この前軸３０の回転により、その前軸に固定されている芯繰り出し機構（筆記体）２も回転することになる。
【００１２】
第２例を図１１乃至図１５に示し説明する。前記後軸１９の前端部である円周端部には、凹部３７が複数、等間隔な位置に形成されている。一方、前軸３０（中軸３０ａ）の中間鍔部３３の上面には、前記後軸２９の凹部３７と係脱する突部３８が形成されている。その突部３８は直交する４箇所に形成されているが、これに限定されるものではない。また、前例のように、後軸２９と前軸３０は、弾発部材３１によって互いに離隔する方向に付勢されており、常時は、前記凹部３７と突部３８の係合が浅い状態となっている（図１２参照）。即ち、比較的軽い力で後軸２９と前軸３０を相対的に回転させることができるようになっている。また、筆記する際には、指間当接柄１９に筆記圧がかかるため後軸２９が前記弾発部材３１の弾発力に抗して前進し、これによって前記凹部３７と突部３８の係合が深くなる。即ち、比較的大きな力をかけなければ後軸２９と前軸３０の相対的な回転が得られなくなるのである。その結果、比較的筆記圧が高くても、容易には回転せず安定した筆記が得られるようになる。また、前軸３０を回転させたい場合には、筆記圧を若干緩めることによって容易に回転をさせることができるようになる。
【図面の簡単な説明】
【００１３】
【図１】本発明の第１例を示す正面外観図。
【図２】指間当接柄を作動させた正面外観図。
【図３】図１の要部拡大図。
【図４】図２の縦断面図。
【図５】図２の要部拡大図。
【図６】弾発部材の外観斜視図。
【図７】弾発部材の正面図。
【図８】ワッシャの外観斜視図。
【図９】弾発部材の変形例を示す外観斜視図。
【図１０】図９の正面図。
【図１１】第２例を示す正面外観図
【図１２】図１１の要部拡大図。
【図１３】図１２の縦断面図。
【図１４】後軸の外観斜視図。
【図１５】前軸の外観斜視図。
【符号の説明】
【００１４】
１      軸筒
２      芯繰り出し機構
３      芯タンク
４      継ぎ手
５      チャック体
６      チャックリング
７      チャックスプリング
８      消しゴム受け
９      消しゴム
１０    ノックキャップ
１１    座金
１２    ノックブッシュ
１３    中ねじ
１４    先部材
１５    芯戻り止め部材
１６    スライド部材
１７    芯案内部材
１８    筒体
１９    指間当接柄
２０    把持部材
２１    回転支柱部
２２    板ばね
２３    係合部
２４    凹部
２５    膨出部
２６    凸部
２７    切り欠き部
２８    板ばね
２９    後軸
３０    前軸
３１    弾発部材
３２    大径空間部
３３    中間鍔部
３４    ワッシャ
３５    皿ばね
３６    クリップ
３７    凹部
３８    突部
【図１】
0004706400.tif 000002
【図２】
0004706400.tif 000003
【図３】
0004706400.tif 000004
【図４】
0004706400.tif 000005
【図５】
0004706400.tif 000006
【図６】
0004706400.tif 000007
【図７】
0004706400.tif 000008
【図８】
0004706400.tif 000009
【図９】
0004706400.tif 000010
【図１０】
0004706400.tif 000011
【図１１】
0004706400.tif 000012
【図１２】
0004706400.tif 000013
【図１３】
0004706400.tif 000014
【図１４】
0004706400.tif 000015
【図１５】
0004706400.tif 000016